(57)【要約】【課題】  記録媒体の記録内容に対応するレーベル情報を、当該記録媒体のレーベル面に印刷することを目的とする。【解決手段】  データとレーベル情報とを含む記録媒体イメージファイルが書き込まれた記録媒体から前記記録媒体イメージファイルを読み取る記録媒体イメージファイル読取り部と、前記記録媒体イメージファイルから前記レーベル情報を分離する分離部と、分離された前記レーベル情報を前記記録媒体のレーベル面に印刷するレーベル情報印刷部と、を有するレーベル印刷装置である。【選択図】  図２
2007018612.tif 000002
【特許請求の範囲】
【請求項１】
データとレーベル情報とを含む記録媒体イメージファイルが書き込まれた記録媒体から前記記録媒体イメージファイルを読み取る記録媒体イメージファイル読取り部と、
前記記録媒体イメージファイルから前記レーベル情報を分離する分離部と、
分離された前記レーベル情報を前記記録媒体のレーベル面に印刷するレーベル情報印刷部と、
を有するレーベル印刷装置。
【請求項２】
前記レーベル情報は、レイアウト情報と、コンテンツ情報とを含む、ことを特徴とする請求項１に記載のレーベル印刷装置。
【請求項３】
前記レーベル印刷装置は、前記記録媒体に複数のレイアウト情報が保存されているとき、どのレイアウト情報を使用するか選択するレイアウト情報選択部を備える、ことを特徴とする請求項２に記載のレーベル印刷装置。
【請求項４】
前記レーベル印刷装置は、所定のレイアウト情報を保存するレイアウト情報保存部を備え、前記レーベル情報にレイアウト情報が存在しないとき、前記レイアウト情報保存部に保存された前記所定のレイアウト情報にコンテンツ情報を組み込んで印刷する、ことを特徴とする請求項２に記載のレーベル印刷装置。
【請求項５】
前記所定のレイアウト情報保存部に複数のレイアウト情報が保存されているとき、どのレイアウト情報を使用するか選択するレイアウト情報選択部を備える、ことを特徴とする請求項４に記載のレーベル印刷装置。
【請求項６】
前記コンテンツ情報が、記録日時、ＪＯＢ番号、ディスクＩＤの記録媒体作成情報を含む、ことを特徴とする請求項２に記載のレーベル印刷装置。
【請求項７】
前記レーベル情報は、レイアウト情報とデータ指定情報とを含み、
前記レーベル印刷装置が、前記データ指定情報から前記データの特定のデータを抽出し、前記レイアウト情報に前記特定のデータを組み込んで印刷する、ことを特徴とする請求項１に記載のレーベル印刷装置。
【請求項８】
前記レーベル印刷装置は、記録媒体のレーベル面を参照し、前記記録媒体のレーベル面のレーベル情報を消去又は加筆するレーベル情報更新部を有する、ことを特徴とする請求項１〜７に記載のレーベル印刷装置。
【請求項９】
データとレーベル情報とを含む記録媒体イメージファイルが書き込まれた記録媒体から前記記録媒体イメージファイルを読み取る記録媒体イメージファイル読取り部と、
前記記録媒体イメージファイルから前記レーベル情報を分離する分離部と、
分離された前記レーベル情報をレーベル用紙に印刷するレーベル情報印刷部と、
を有するレーベル印刷装置。
【発明の詳細な説明】
【技術分野】
【０００１】
この発明はレーベル印刷装置に関する。
【背景技術】
【０００２】
ＣＤ−Ｒ、ＣＤ−ＲＷ、ＤＶＤ−Ｒ、ＤＶＤ−ＲＷ等の書込み・書換え可能な記録媒体のレーベル面に、自ら作成したレーベル情報（名前、整理番号、日付、画像等）を印刷するレーベル印刷装置が普及している。
複数の記録媒体に連続してレーベル情報を印刷する場合、記録媒体の充填とレーベル情報印刷の命令とがそれぞれ別工程となる。
【発明の開示】
【発明が解決しようとする課題】
【０００３】
記録内容の異なる複数の記録媒体にそれぞれ異なるレーベル情報を印刷する場合、記録媒体の充填とレーベル情報印刷の命令とをそれぞれ別工程で行うと、記録媒体の内容とレーベル情報とが対応しないことがある。
【課題を解決するための手段】
【０００４】
本発明は上記課題を解決すべくなされたものである。すなわち、データとレーベル情報とを含む記録媒体イメージファイルが書き込まれた記録媒体から前記記録媒体イメージファイルを読み取る記録媒体イメージファイル読取り部と、前記記録媒体イメージファイルから前記レーベル情報を分離する分離部と、分離された前記レーベル情報を前記記録媒体のレーベル面に印刷するレーベル情報印刷部と、を有するレーベル印刷装置である。
【０００５】
上記構成によれば、記録媒体イメージファイル読取り部が、記録媒体から記録媒体イメージファイルを読み取る。次に、分離部がその記録媒体イメージファイルからレーベル情報を分離し、そのレーベル情報をもとにレーベル情報印刷部が記録媒体のレーベル面にレーベル情報を印刷する。
すなわち、記録内容の異なる複数の記録媒体にそれぞれ異なるレーベル情報を印刷する場合であっても、各記録媒体毎にその記録面に記録された記録媒体イメージファイルを読み取り、その記録媒体イメージファイルからレーベル情報を得るため、記録媒体の記録内容に対応したレーベル情報を当該記録媒体のレーベル面に印刷することができる。
よって、本発明によるレーベル印刷装置を用いることにより、記録媒体の内容とレーベル情報とを確実に対応させることができる。
【発明を実施するための最良の形態】
【０００６】
以下、この発明の各要素について説明する。
（記録媒体イメージファイル、記録媒体イメージファイル読取り部）
記録媒体イメージファイルは、記録媒体（例えば、ＣＤ−Ｒ、ＣＤ−ＲＷ、ＤＶＤ−Ｒ、ＤＶＤ−ＲＷ等）の記録面に書き込まれる情報である。
図１（Ａ）は記録媒体イメージファイルのデータ構成である。記録媒体イメージファイルのデータ構成は、作成者、作成日付やデータの種類、データの大きさなどの情報を有するヘッダを保存するヘッダ領域と記録情報領域とを備えて構成される。記録情報領域は記録媒体の記録面に書き込まれる内容を保存する領域であり、例えば、ファイル、フォルダ構造が保存される。保存されるファイルの種類は特に限定されず、例えば、データ（テキストデータや画像データ）、レーベル情報などが挙げられる。
図１（Ｂ）はデータ及びレーベル情報を保存したときのフォルダ構造図である。データはデータフォルダ内に保存され、レーベル情報はレーベル情報フォルダ内に保存される。
記録媒体イメージファイル読取り部は、このようなデータとレーベル情報が保存された記録媒体イメージファイルを読み取る。
【０００７】
（レーベル情報）
レーベル情報は、任意の名前、画像、整理番号等を含んでなる情報であり、記録媒体のレーベル面に印刷されて、当該記録媒体の内容を示す情報として利用される。
レーベル情報の構成は特に限定されないが、ビットマップ等のイメージ情報のみから当該レーベル情報を構成することができる。その他、レーベル情報はレイアウト情報、コンテンツ情報（例えば、テキスト情報、画像情報）に分けて構成することができる。レイアウト情報は、コンテンツ情報の印刷する座標・サイズ・色・フォント・傾きなどの書式を指定する情報である。そのため、レイアウト情報が決まれば、コンテンツ情報を変更するだけで、容易にレーベル情報の変更をすることができる。
また、コンテンツ情報として、テキスト情報、画像情報の代わりに記録媒体作成情報を利用することもできる。記録媒体作成情報は、データ固有の情報であり、例えば、当該データの記録日時、対象フォルダ、ＪＯＢ番号、ディスクＩＤ等の情報で構成される。
なお、レーベル情報のファイル形式は特に限定されず、例えば、ＸＭＬ、ＪＰＥＧ、ビットマップ等が挙げられる。
【０００８】
また、レーベル情報において、コンテンツ情報の代わりに又は併存してデータ指定情報を用いることができる。このデータ指定情報はレーベル情報が保存されるファイル以外のファイルを指定し、当該ファイルの内容をコンテンツ情報として取り込むことを可能とするものである。
【０００９】
（分離部）
分離部は、記録媒体イメージファイルからレーベル情報を分離して当該レーベル情報を得る。分離する方法は記録媒体イメージファイルの中の特定のファイル名、フォルダ名、拡張子を指定して分離を行う。例えば、記録媒体イメージファイルの記録情報領域に保存されたファイルの中から、ファイル名「Label.bmp」を指定して分離を行う。分離部で分離されたレーベル情報はレーベル情報印刷部へ送られる。
【００１０】
（レーベル情報印刷部）
レーベル情報印刷部は、分離部で分離されたレーベル情報を記録媒体のレーベル面に印刷する。記録媒体のレーベル面へのレーベル情報の印刷方法は、特に限定されず、例えば、インクジェット方式、昇華方式等が挙げられる。
また、レーベル情報印刷部は、レーベル情報をレーベル用紙に印刷することもできる。レーベル用紙は、記録媒体のレーベル面に貼り付けるための用紙（レーベル用シールも含む）である。
【００１１】
（レイアウト情報選択部）
レイアウト情報選択部は、記録媒体に保存されたレーベル情報が複数のレイアウト情報とコンテンツ情報で構成されているとき、その複数のレイアウト情報の中から一つのレイアウト情報を選択する。選択する方法は特に限定されず、例えば、記録媒体の記録面に保存された記録媒体イメージファイルの中からファイル(レイアウト情報に関するファイル)を指定することにより、一つのレイアウト情報を選択することができる。
また、レーベル印刷装置が所定のレイアウト情報を保存するレイアウト情報保存部を備え、そのレイアウト情報保存部に保存された所定のレイアウト情報が複数ある場合、その複数の所定のレイアウト情報の中から一つのレイアウト情報を選択することもできる。
【００１２】
（レイアウト情報更新部）
レイアウト情報更新部は、記録媒体のレーベル面に記載された記載情報（例えば、レーベル印刷やペンなどによる書込みなど）を消去又は加筆する。
消去する方法は特に限定されず、例えば、レーベル面に白色の塗料を塗布することにより、記載情報を消去する。レーベル面が消去された後、所定のレーベル情報が印刷される。
加筆する方法も特に限定されず、例えば、レーベル面の加筆領域を指定し、その加筆領域に対して白色の塗料を塗布することにより、一部のレーベル情報を消去する。次に、指定された加筆領域に対して加筆を印刷する。なお、加筆領域が初めから加筆可能な状態であるとき（白色であるとき）は、加筆領域だけを指定してレーベル印刷を行うこともできる。
【００１３】
以下に、上記各要素を使用したレーベル印刷の動作の概略を説明する。
図２はレーベル印刷装置の印刷動作を示すブロック図である。
レーベル印刷装置１は記録媒体イメージファイル読取り部２と、記録媒体イメージファイル保存部３と、分離部４と、レーベル情報印刷部５とを備えて構成される。
記録媒体イメージファイル読取り部２は、記録媒体収納部６に収納された記録媒体７の記録面を参照し、記録媒体イメージファイルを読み取る。読み取られた記録媒体イメージファイルは記録媒体イメージファイル保存部３に保存される。続いて、分離部４が、記録媒体イメージファイル保存部３に保存された記録媒体イメージファイルの中から特定のファイルを指定してレーベル情報を分離し、当該レーベル情報をレーベル情報印刷部５へ送る。レーベル情報印刷部５は、そのレーベル情報をもとに記録媒体７のレーベル面にレーベル印刷を行う。
このように、使用者は予めレーベル情報が記録された記録媒体をレーベル印刷装置に収納することで、当該記録媒体に記録内容に対応したレーベル印刷を行うことができる。
【実施例１】
【００１４】
図３は本発明の実施例であるレーベル印刷装置１０の概略図である。
レーベル印刷装置１０は、制御部１１と、記録媒体イメージファイル読取り部１３と、分離部１４と、レーベル情報印刷部１５と、データ保存部１６とで概略構成される。
制御部１１はＣＰＵ１２を備える。レーベル印刷装置１０に備えられる各要素はバスラインを介してこのＣＰＵ１２に接続され、その制御を受ける。ＣＰＵ１２を動作させるためのプログラムはプログラム保存領域１６１に保存されており、ＣＰＵ１２は当該プログラムを読み出して所定の動作を行う。
記録媒体イメージファイル読取り部１３は記録媒体に保存された記録媒体イメージファイルを読み取る。
分離部１４は、記録媒体イメージファイルからレーベル情報を分離する。分離する方法は、記録媒体イメージファイルの中から特定のファイルを指定してレーベル情報を分離する。
レーベル情報印刷部１５は、記録媒体イメージファイルから得られたレーベル情報を記録媒体のレーベル面に印刷する。印刷方法は、記録媒体に対する低衝撃力、印刷速度等の観点からインクジェット方式を採用する。
データ保存領域１６は、プログラム保存領域１６１と、記録媒体イメージファイル保存領域１６２とで概略構成される。プログラム保存領域１６１は、ＣＰＵ１２を制御するために必要なプログラムが保存される領域である。記録媒体イメージファイル保存領域１６２は、記録媒体イメージファイルが保存される領域である。
【００１５】
以下に、レーベル印刷装置１０の動作について説明する。
図４はレーベル印刷の動作を示すフローチャートである。
レーベル印刷装置１０に記録媒体が収納されたとき（ステップ１）、記録媒体イメージファイル読取り部１３が記録媒体から記録媒体イメージファイルを読み取り（ステップ３）、その記録媒体イメージファイルを記録媒体イメージファイル保存領域１６２に保存する（ステップ５）。続いて、分離部１４が記録媒体イメージファイル保存領域１６２に保存された記録媒体イメージファイルから特定のファイル名を指定して、レーベル情報を分離する（ステップ７）。分離されたレーベル情報はレーベル情報印刷部１５に送られて、レーベル情報印刷部１５がそのレーベル情報を記録媒体のレーベル面に印刷する（ステップ９）。
【００１６】
以上のように、本実施例によれば、記録媒体に記録された記録媒体イメージファイルからレーベル情報を分離して、そのレーベル情報を当該記録媒体のレーベル面に印刷する。これにより、記録内容の異なる複数の記録媒体にそれぞれ異なるレーベル情報を印刷する場合であっても、各記録媒体毎にその記録面に記録された記録媒体イメージファイルを読み取り、その記録媒体イメージファイルからレーベル情報を得るため、記録媒体の記録内容に対応したレーベル情報を当該記録媒体のレーベル面に印刷することができる。
よって、記録媒体のデータに対応したレーベル情報をレーベル面に印刷することができる。
【００１７】
なお、本実施例では記録媒体のレーベル面にレーベル情報を直接印刷したが、別途、レーベル面に貼り付けるためのレーベル用紙を用意し、レーベル情報をそのレーベル用紙に印刷し、印刷されたレーベル用紙を記録媒体のレーベル面に貼り付けても良い。
【実施例２】
【００１８】
図５は本発明の他の実施例であるレーベル印刷装置２０の概略図である。実施例１と同一の要素には同一の符号を付してその説明を省略する。
レーベル印刷装置２０はデータ保存部２６に所定のレイアウト情報保存領域２６１を備える。所定のレイアウト情報保存領域２６１は、１又は複数のレイアウト情報を保存するための領域である。
また、レーベル印刷装置２０は、レイアウト情報選択部２７と、入力部２８と、表示部２９とを備える。
レイアウト情報選択部２７は、所定のレイアウト情報保存部２６１に複数のレイアウト情報が保存されているとき、その複数のレイアウト情報の中から一つのレイアウト情報を選択する。
入力部２８は、押しボタン等の入力機能を有しており、レーベル印刷装置２０の操作を行う。
表示部２９は、液晶装置等の表示機能を有しており、レーベル印刷装置２０の状態を表示する。
【００１９】
以下に、レーベル印刷装置２０の動作について説明する。
図６はレーベル印刷の動作を示すフローチャートである。
レーベル印刷装置２０に記録媒体が収納されたとき（ステップ１１）、記録媒体イメージファイル読取り部１３が記録媒体の記録面から記録媒体イメージファイルを読み取り（ステップ１３）、その記録媒体イメージファイルを記録媒体イメージファイル保存領域１６２に保存する（ステップ１５）。次に、分離部１４が記録媒体イメージファイル保存領域１６２に保存された記録媒体イメージファイルからレーベル情報を分離する（ステップ１７）。分離されたレーベル情報がレイアウト情報を含んでいる場合は（ステップ１９；Ｙ）、その分離されたレーベル情報を印刷する（ステップ２７）。一方、分離されたレーベル情報がレイアウト情報を含んでいない場合は（ステップ１９；Ｎ）、レイアウト情報選択部２７が所定のレイアウト情報保存領域２６１を参照する。所定のレイアウト情報保存領域２６１に複数のレイアウト情報が存在するとき（ステップ２１；Ｙ）、入力部２８を操作してレイアウト情報選択部２７が一つのレイアウト情報を選択し、読み出す（ステップ２３）。所定のレイアウト情報保存領域２６１に一つのレイアウト情報しか存在しないときは、レイアウト情報選択部２７が当該レイアウト情報を読み出す（ステップ２１；Ｎ）。続いて、この読み出されたレイアウト情報にコンテンツ情報を組み込んでレーベル情報を作成する（ステップ２５）。作成されたレーベル情報はレーベル情報印刷部１５に送られ、レーベル印刷が行われる（ステップ２７）。
【００２０】
以上のように、本実施例のレーベル印刷装置を用いることにより、レーベル情報にレイアウト情報が存在しない場合でも、所定のレイアウト情報を読み出して、それにコンテンツ情報を合成してレーベル情報を作成することができる。
本実施例のレーベル印刷装置を用いることにより、例えば、定型化したデータ処理を行う場合（電子カルテデータを取り扱う場合）、所定のレイアウト情報をもとに、画像情報（患者の顔の画像情報等）やテキスト情報（患者名、作成日等）を変更するだけで簡単にレーベル情報の印刷を行うことができる。
なお、本実施例で使用するコンテンツ情報として、記録日時、ＪＯＢ番号、シリアル番号等で構成される記録媒体作成情報を使用することもできる。
【００２１】
また、本実施例では、所定のレイアウト情報保存領域２６１に複数のレイアウト情報が保存されているときに、レイアウト情報選択部２７が一つのレイアウト情報を選択することでレーベル情報を作成したが、記録媒体の記録面に保存されるレーベル情報に複数のレイアウト情報とコンテンツ情報とが保存されている場合でも、レイアウト情報選択部２７が複数のレイアウト情報から一つのレイアウト情報を選択して、そのレイアウト情報にコンテンツ情報を組み合わせてレーベル情報を作成することもできる。
【実施例３】
【００２２】
図７は他の実施例であるレーベル印刷装置３０の構成図である。実施例１と同一の要素には同一の符号を付してその説明を省略する。
レーベル印刷装置３０は抽出部３７を備える。
抽出部３７は、記録媒体イメージファイルがデータ、レイアウト情報及びデータ指定情報を保存している場合、当該データ指定情報を抽出し、抽出されたデータ指定情報をもとに記録媒体イメージファイルのデータフォルダから特定のデータ（コンテンツデータ）を読み出す。
【００２３】
以下に、レーベル印刷装置３０の動作について説明する。
図８は記録媒体イメージファイルからレーベル印刷を行う動作を示すフローチャートである。
データ、レイアウト情報及びデータ指定情報を保存した記録媒体イメージファイルがレーベル印刷装置３０に収納されたとき（ステップ３１）、記録媒体イメージファイル読取り部１３が記録媒体の記録面から記録媒体イメージファイルを読み取り（ステップ３３）、その記録媒体イメージファイルを記録媒体イメージファイル保存領域１６２に保存する。次に、抽出部３７が記録媒体イメージファイルの中からデータ指定情報を抽出し（ステップ３７）、そのデータ指定情報をもとに、データフォルダからデータ（コンテンツデータ）を抽出する（ステップ３９）。抽出されたデータはレイアウト情報と合成されてレーベル情報が作成される（ステップ４１）。作成されたレーベル情報はレーベル情報印刷部１５へ送られ、レーベル情報印刷部１５がレーベル情報を記録媒体のレーベル面に印刷する（ステップ４３）。
【００２４】
以上のように、記録媒体に保存される記録媒体イメージファイルを、データ、レイアウト情報及びデータ指定情報とに分けて作成することでも、レーベル印刷することができる。これにより、レーベル情報作成時にコンテンツ情報を用意する必要がなくなるため、使用者は簡単にレーベル印刷することができる。
【実施例４】
【００２５】
図９は本発明の他の実施例であるレーベル印刷装置４０の概略図である。実施例１と同一の要素には同一の符号を付してその説明を省略する。
レーベル印刷装置３０は入力部２８と、表示部２９と、レーベル面参照部４７と、レーベル情報更新部４８とを備える。
レーベル面参照部４７は、レーベル印刷装置４０に収納された記録媒体のレーベル面を参照し、レーベル面の記載情報（インクジェットなどによるレーベル印刷やペンなどによる書込み）があるかどうかを判断する。記載情報の有無の判断方法はレーベル面の一定区間に対して光を照射し、その一定区間における光の反射率の変化を受光することにより行われる。反射率の変化があれば記載情報があると判断される。
レーベル情報更新部４８は、記録媒体のレーベル面の記載情報を消去又は加筆する。
消去する方法は白色の塗料を当該記録媒体のレーベル面に塗布することにより消去する。レーベル情報を消去後はレーベル情報更新部４８がレーベル印刷を行う。
加筆する方法はレーベル面の加筆領域を指定し、その加筆領域に対して白色の塗料を塗布することにより、一部のレーベル情報を消去する。次に、加筆領域に対して加筆情報を印刷することにより加筆する。なお、加筆領域が初めから加筆可能な状態であるとき（白色であるとき）は、加筆領域だけを指定してレーベル印刷を行うこともできる。
【００２６】
以下に、レーベル印刷装置４０の動作について説明する。
図１０はレーベル印刷の動作を示すフローチャートである。
記録媒体が収納されることにより（ステップ５１）、レーベル面参照部４７が当該記録媒体のレーベル面を参照する（ステップ５３）。レーベル面が記載済みであれば（ステップ５５；Ｙ）、記載情報が加筆情報かどうか判断する。記載情報が加筆情報であれば（ステップ５７；Ｙ）、加筆領域を指定し（ステップ６１）、レーベル情報更新部４８が当該加筆領域に白色の塗料を塗布することにより、加筆情報を消去する（ステップ６３）。一方、記載情報が加筆情報でなければ（ステップ５７；Ｎ）、レーベル情報更新部４８が記載情報の全てを消去する（ステップ５９）。なお、記録媒体のレーベル面が記載済みでなければ（ステップ５５；Ｎ）、次にステップ６５を行う。
記載情報が消去された後、記録媒体から記録媒体イメージファイルを読取り（ステップ６５）、その記録媒体イメージファイルを記録媒体イメージファイル保存領域１６２に保存する（ステップ６７）。続いて、分離部１４が記録媒体イメージファイルからレーベル情報を分離する（ステップ６９）。分離されたレーベル情報が加筆情報であれば（ステップ７１；Ｙ）、ステップ６１で指定した加筆領域に当該加筆情報を印刷する（ステップ７５）。一方、分離されたレーベル情報が加筆情報でなければ（ステップ７１；Ｎ）、そのレーベル情報が記録媒体に印刷される。（ステップ７３）。
【００２７】
以上のように本発明のレーベル印刷装置を利用すれば、レーベル面に記載情報が印刷されている場合でも、その記載情報を消去し、新しいレーベル印刷を行うことができる。例えば、記録媒体の内容と異なるレーベル情報が記載されてしまった場合でも、その異なるレーベル情報を消去し、記録媒体から新しいレーベル情報を抽出してレーベル印刷することができる。
【００２８】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００２９】
【図１】図１は記録媒体イメージファイルのデータ構成（Ａ）及びそのフォルダ構造（Ｂ）を示す図である。
【図２】図２はレーベル印刷装置のブロック図である。
【図３】図３は実施例１で使用されるレーベル印刷装置の概略図である。
【図４】図４はレーベル印刷の動作を示すフローチャートである。
【図５】図５は実施例２で使用されるレーベル印刷装置の概略図である。
【図６】図６はレーベル印刷の動作を示すフローチャートである。
【図７】図７は実施例３で使用されるレーベル印刷装置の概略図である。
【図８】図８はレーベル印刷を行う動作を示すフローチャートである。
【図９】図９は実施例４で使用されるレーベル印刷装置の概略図である。
【図１０】図１０はレーベル面の記載情報を消去する動作を示すフローチャートである。
【符号の説明】
【００３０】
１  １０  ２０  ３０  ４０  レーベル印刷装置、２  １３  記録媒体イメージファイル読取り部、４  １４  分離部、５  １５  レーベル情報印刷部、２７  レイアウト情報選択部、４７  レーベル面参照部、４８  レーベル情報更新部
【図１】
2007018612.tif 000003
【図２】
2007018612.tif 000004
【図３】
2007018612.tif 000005
【図４】
2007018612.tif 000006
【図５】
2007018612.tif 000007
【図６】
2007018612.tif 000008
【図７】
2007018612.tif 000009
【図８】
2007018612.tif 000010
【図９】
2007018612.tif 000011
【図１０】
2007018612.tif 000012